(57)【要約】【課題】  頭部の地肌に当たる感触に金属感がなくソフトで優しい感触であり、使用上も安全であり、しかも、耐摩擦性や耐擦傷性に優れたかつら用ストッパー提供する。【解決手段】湾曲反転性能を有する弾性金属薄板１からなり、二つの脚片２ａ，２ｂが平行して配置され、片方の脚片２ａから他方の脚片２ｂへ掛かるように多数の突片３が櫛歯状に配列された毛髪係止部材３を備えている湾曲反転部材２のかつら用ストッパーにおいて、前記湾曲反転部材２と前記櫛歯状突片の毛髪係止部材３の表面にソフトタッチ塗装４が施されているかつら用ストッパーの構成とした。【選択図】      図１
0003108003.tif 000002
【実用新案登録請求の範囲】
【請求項１】
湾曲反転性能を有する弾性金属薄板からなり、二つの脚片が平行して配置され、片方の脚片から他方の脚片へ掛かるように多数の突片が櫛歯状に配列されている湾曲反転部材のかつら用ストッパーにおいて、
前記湾曲反転部材と前記櫛歯状の突片にソフトタッチ塗装が施されていることを特徴とするかつら用ストッパー。
【請求項２】
前記ソフトタッチ塗装が、直径１〜１０μのアクリル樹脂ビーズを主剤塗料中に１.５ｗｔ％含有した２０℃における伸び率６０〜１００％、摩擦係数０.２〜０.４、初期弾性率１６０〜１８０ｋｇ／ｃｍ2 の塗膜物性を有する２液型ウレタン塗料を膜厚２０〜１００μｍで塗布することを特徴とするかつら用ストッパー。
【請求項３】
前記湾曲反転部材は、弾性金属薄板を略Ｕ字型に打ち抜き、この湾曲反転部材の二本の脚片端を鳩目で環状に固定することで内側に歪を作り反転性を付与することを特徴とする請求項１または請求項２に記載のかつら用ストッパー。
【請求項４】
前記湾曲反転部材は、弾性金属薄板を略Ｏ字型に打ち抜き、この略Ｏ字型の内側の対抗する２箇所をポンチで押圧加工することで反転性を付与することを特徴とする請求項１または請求項２に記載のかつら用ストッパー。
【考案の詳細な説明】
【技術分野】
【０００１】
本考案は、  かつらを頭部に止着するためのかつら用ストッパーに関する。
【背景技術】
【０００２】
一般に、かつらを頭髪（自毛）に装着する場合には、かつら用ストッパーを使用するが、従来のこの種のかつら用ストッパーとして、実公昭５６−２３２９４号公報に示すようなかつら用ストッパーがある。このかつら用ストッパーは、湾曲反転部材を構成する一方の脚片に弾性金属線材による突片多数を他方の脚片に掛かるように櫛歯状に溶着突設すると共に他方の脚片に弾力性摩擦部材を被着し、且該湾曲反転部材の背面両端にかつら本体への接着用小片を附勢してなるようにしたものである。
【特許文献１】実公昭５６−２３２９４号公報（図面）
【考案の開示】
【考案が解決しようとする課題】
【０００３】
しかしながら、上述した従来のかつら用ストッパーにおいては、頭皮に直接触れる突片がステンレスなどの金属から先端部が丸く形成されており、このかつら用ストッパーの表面には焼き付け塗装などが施されているが、頭部の地肌に当たる感触に金属感があり、あまり感触の良いものではなかった。特に、金属アレルギーの人にとっては頭皮のかぶれなどの病的な症状を引き起こすので、かつら用ストッパーを使用できないという問題も発生していた。
【０００４】
本考案は、上述した従来の問題に鑑みなされたもので、頭部の地肌に当たる感触に金属感がなくソフトで優しい感触であり、使用上も安全であり、しかも、耐摩擦性や耐擦傷性に優れたかつら用ストッパーを提供するものである。
【課題を解決するための手段】
【０００５】
本考案は、上記課題を解決するため、湾曲反転性能を有する弾性金属薄板からなり、二つの脚片が平行して配置され、片方の脚片から他方の脚片へ掛かるように多数の突片が櫛歯状に配列されている湾曲反転部材のかつら用ストッパーにおいて、前記湾曲反転部材と前記櫛歯状の突片にソフトタッチ塗装が施されているかつら用ストッパーの構成である。
【０００６】
また、前記課題は、前記ソフトタッチ塗装が、直径１〜１０μのアクリル樹脂ビーズを主剤塗料中に１.５ｗｔ％含有した２０℃における伸び率６０〜１００％、摩擦係数０.２〜０.４、初期弾性率１６０〜１８０ｋｇ／ｃｍ2 の塗膜物性を有する２液型ウレタン塗料を膜厚２０〜１００μｍで塗布する構成で達成できる。
【０００７】
更に、前記課題は、前記湾曲反転部材は、弾性金属薄板を略Ｕ字型に打ち抜き、この湾曲反転部材の二本の脚片端を鳩目で環状に固定することで内側に歪を作り反転性を付与する構成、または前記湾曲反転部材は、弾性金属薄板を略Ｏ字型に打ち抜き、この略Ｏ字型の内側の対抗する２箇所をポンチで押圧加工することで反転性を付与する構成のかつら用ストッパーによって達成できる。
【考案の効果】
【０００８】
本考案のかつら用ストッパーは、上述のように構成されたので、かつらを装着した時にソフトな感触が得られ、金属アレルギーの肌にも優しく、しかも耐傷性や耐磨耗性に優れたかつら用ストッパーを提供できるものである。
【考案を実施するための最良の形態】
【０００９】
本考案に係るかつら用ストッパーの最良の形態について図を参照して説明する。
図１は本考案に係るかつら用ストッパーを示す正面図、図２は図１のかつら用ストッパーの側面図、図３は図１のかつら用ストッパーに使用する毛髪係止部材を示す拡大断面図、図４は本発明のかつら用ストッパーの他の実施形態の斜視図である。図５は図１のかつら用ストッパーの動作状態を示す図で、毛髪を掴む前の状態を示す側面図、図６は図１のかつら用ストッパーの動作状態を示す図で、毛髪を掴んだ後の状態を示す側面図である。図７は図１のかつら用ストッパーをかつら本体に装着した状態を示す平面図である。
【００１０】
本考案に係るかつら用ストッパー１は、図１に示すように、単一の弾性薄板を中抜きの略Ｕ字型に打ち抜き加工して湾曲させて反転性能を付与した湾曲反転部材２と、基端部３ｂが前記湾曲反転部材２の一方の脚片２ａに溶着され、先端部３ａが前記湾曲反転部材２の溶着された脚片２ａに対向する脚片２ｂに掛かり櫛歯状の突片を多数配列した毛髪係止部材３とを備え、前記湾曲反転部材２と前記毛髪係止部材３には、ソフトタッチ塗装４が施されたものである。
【００１１】
このかつら用ストッパー１には、実施形態の略Ｕ字型に打ち抜き、平行に形成した脚片２ａ，２ｂを備えた湾曲反転部材２の脚片２ｂに弾性摩擦部材５が取り付けられ、前記湾曲反転部材２の長手方向の両端部２ｃ，２ｃには接着用小片６，６が鳩目７，７で取り付けられている。この接着用小片６，６は、図７に示すように、かつら用ストッパー１をかつら本体１０に接着固着する場合に使用するものである。この接着用小片６，６により、かつら用ストッパー１をかつら本体１０の適切な位置に固着できるものである。
【００１２】
この湾曲反転部材２に使用される弾性薄板は、ばね性に富むステンレス鋼の薄板が好適である。この薄板を湾曲させ、且つ反転性を付与するために、図４に示す他の実施形態ではプレスなどで略Ｏ字型に押圧加工を行い湾曲反転部材２とするものである。この押圧加工を行う時に中抜き加工を同時に行うものである。このように加工された湾曲反転部材２は、従来のかつら用ストッパーのように、ステンレス鋼の薄板をＵ字状に加工し、その両開放端を共に内方に牽引して重ね合わせ鳩目で固定する必要がなく、加工の手間が省け、薄くできるものである。
【００１３】
また、この湾曲反転部材２は、反転操作のし易さという観点からは、弾性薄板の弾性力が０.４〜２ｋｇ程度が望ましいが、ストッパーとしての機能上からは必ずしもこの範囲に限定する必要はない。
【００１４】
また、毛髪係止部材３は、例えば、プラスチックやステンレス鋼、鋼材などのバネ性に富む材料を素材とし、線状または板状に形成したもので、これを多数本、湾曲反転部材２に固着したものである。本実施例においては、ステンレス鋼より加工し湾曲反転部材２に溶着することにより固着したものである。さらに、毛髪係止部材３は、一本の長尺状線材をＵ字状やＶ字状の波形に加工し、湾曲反転部材２に取り付けたものでも良いが、金属弾性線材を多数本湾曲反転部材２に設けることが耐久性に富み、毛髪を掴み易く好適である。そして、この毛髪係止部材３は、金属弾性線材で形成した場合には、装着時に先端部３ａが毛髪を掬いながら頭髪深く入り込めるように先端部３ａと基端部３ｂの中間で穏やかに内側に湾曲させることが好ましい。さらに、金属弾性線材を使用した場合には、装着時の頭皮傷付き防止の観点から、先端部３ａを膨出させて球形状としたものである。
【００１５】
この毛髪係止部材３は、通常は基端部３ｂを湾曲反転部材２の一方の辺２ａに溶着することによって得られるが、他の方法として、例えば、単一の金属弾性薄板に切削加工を施して、湾曲反転部材２と毛髪係止部材３を同時に一体的に形成する方法も挙げられる。そして、この毛髪係止部材３は、毛髪に係合し易いように櫛歯状に配置され、その先端部３ａが湾曲反転部材２の対向する一辺２ｂ側に延設したものである。この毛髪係止部材３の櫛歯状の形状は、各々の毛髪係止部材３が直線状である場合の他に「く」の字状または「Ｓ」字状に屈曲した場合も含まれるものである。また、湾曲反転部材２の長手方向に対してほぼ直交して設けられる場合の他に斜め状に設けられた場合も含むものである。
【００１６】
さらに、本考案の毛髪係止部材３は、装着時において頭皮傷付き防止や感触を向上するために、ソフトタッチ塗装が施されている。このソフトタッチ塗装は、直径１〜１０μのアクリル樹脂ビーズを主剤塗料中に１.５ｗｔ％含有した２０℃における伸び率６０〜１００％、摩擦係数０.２〜０.４、初期弾性率１６０〜１８０ｋｇ／ｃｍ２ の塗膜物性を有する２液型ウレタン塗料を膜厚２０〜１００μｍで塗布したものである。
【００１７】
このソフトタッチ塗装は、摩擦係数が０.２より小さいとプラスチックの感触が強くなり肌触りの感触が良くないが、摩擦係数が０.４より大きくなるとゴム質感が強くなるので、摩擦係数０.２〜０.４の値で好みに応じて適切な値を選択することができる。また、初期弾性率が１８０ｋｇ／ｃｍ2
より大きいと感触が硬くなり、初期弾性率１６０ｋｇ／ｃｍ2 より小さいと強度不足になる。さらに、伸び率が６０％より小さいとソフト感がなくなり、１００％より大きいと粘着感が生じる。そして、膜厚が２０μｍ未満だとソフト感がなくなり、１００μｍを超えると塗装作業において時間を要し、塗装溜まりなどの不具合を生じるものである。
【００１８】
上述のように構成された、かつら用ストッパー１は、図７に示すように、かつら本体１０に装着されるものである。このかつら用ストッパー１のかつら本体１０への装着は、前述したように、かつら用ストッパー１の両端に取り付けられた接着用小片６，６を接着剤により貼着する。かつら本体１０に取り付けられかつら用ストッパー１の個数は、かつら本体１０の大きさに応じて調整され、１個から数個の範囲で取り付けられる。
【００１９】
また、このかつら本体１０を頭部に装着する場合は、図５に示すように、かつら用ストッパー１を開放状態にしてかつら本体１０について脱毛部を中心にして被り、かつら本体１０の上から各かつら用ストッパー１の両端部に指圧を加えて湾曲反転部材２を反転させる。すると、櫛歯状に突片を配列した毛髪係止部材３の先端部３ａが自毛に引っ掛かるようになる。この状態から各かつら用ストッパー１の両端部に指圧を加えて湾曲反転部材２を反転させると、図６に示すように、毛髪係止部材３が毛髪を引っ掛けたまま、摩擦部材５面に圧接して挟持する。その結果、かつら本体１０は、頭部にしっかりと固定され、頭部を激しく動かしても外れることは全くない。
【００２０】
さらに、かつら本体１０を頭部から取り外す場合は、各かつら用ストッパー１の両端部に指圧を加えて湾曲反転部材２を反転させると、櫛歯状に形成された毛髪係止部材３が摩擦部材５面から離脱し、挟み込んだ毛髪を開放するので、かつら本体１０は頭部から簡単に取り外すことができる。
【００２１】
以上の説明のように、本考案は前記湾曲反転部材と前記毛髪係止部材には、ソフトタッチ塗装が施されていることにより、かつらを装着した時にソフトな感触が得られ、金属アレルギーの肌にも優しく、しかも耐傷性や耐磨耗性に優れたかつら用ストッパーを提供できるものである。
【図面の簡単な説明】
【００２２】
【図１】本考案に係るかつら用ストッパーを示す正面図である。
【図２】図１のかつら用ストッパーの側面図である。
【図３】図１のかつら用ストッパーに使用する毛髪係止部材を示す拡大断面図である。
【図４】本発明のかつら用ストッパーの他の実施形態の斜視図である。
【図５】図１のかつら用ストッパーの動作状態を示す図で、毛髪を掴む前の状態を示す側面図である。
【図６】図１のかつら用ストッパーの動作状態を示す図で、毛髪を掴んだ後の状態を示す側面図である。
【図７】図１のかつら用ストッパーをかつら本体に装着した状態を示す平面図である。
【符号の説明】
【００２３】
１      かつら用ストッパー
２      湾曲反転部材
２ａ,２ｂ  脚片
２ｃ    端部
３      毛髪係止部材
３ａ    先端部
３ｂ    基端部
４      ソフトタッチ塗装
５      摩擦部材
６      接着用小片
７      鳩目
１０      かつら本体
【図１】
0003108003.tif 000003
【図２】
0003108003.tif 000004
【図３】
0003108003.tif 000005
【図４】
0003108003.tif 000006
【図５】
0003108003.tif 000007
【図６】
0003108003.tif 000008
【図７】
0003108003.tif 000009
【手続補正書】
【提出日】平成16年10月25日(2004.10.25)
【手続補正１】
【補正対象書類名】実用新案登録請求の範囲
【補正対象項目名】全文
【補正方法】変更
【補正の内容】
【実用新案登録請求の範囲】
【請求項１】
湾曲反転性能を有する弾性金属薄板からなり、二つの脚片が平行して配置され、片方の脚片から他方の脚片へ掛かるように多数の突片が櫛歯状に配列されている湾曲反転部材のかつら用ストッパーにおいて、
前記湾曲反転部材と前記櫛歯状の突片にソフトタッチ塗装が施されていることを特徴とするかつら用ストッパー。
【請求項２】
湾曲反転性能を有する弾性金属薄板からなり、二つの脚片が平行して配置され、片方の脚片から他方の脚片へ掛かるように多数の突片が櫛歯状に配列されている湾曲反転部材の表面にソフトタッチ塗装が施され、そのソフトタッチ塗装が直径１〜１０μのアクリル樹脂ビーズを主剤塗料中に１.５ｗｔ％含有した２０℃における伸び率６０〜１００％、摩擦係数０.２〜０.４、初期弾性率１６０〜１８０ｋｇ／ｃｍ2 の塗膜物性を有する２液型ウレタン塗料を膜厚２０〜１００μｍで塗布することを特徴とするかつら用ストッパー。
【請求項３】
前記湾曲反転部材は、弾性金属薄板を略Ｕ字型に打ち抜き、この湾曲反転部材の二本の脚片端を鳩目で環状に固定することで内側に歪を作り反転性を付与することを特徴とする請求項１または請求項２に記載のかつら用ストッパー。
【請求項４】
前記湾曲反転部材は、弾性金属薄板を略Ｏ字型に打ち抜き、この略Ｏ字型の内側の対抗する２箇所をポンチで押圧加工することで反転性を付与することを特徴とする請求項１または請求項２に記載のかつら用ストッパー。